(57)【特許請求の範囲】
【請求項１】
第１の枠部材と、
上記第１の枠部材を光軸周りの回動を伴わずに光軸方向に直進移動可能に支持する第２の枠部材と、
上記第１の枠部材を上記第２の枠部材に対して光軸方向に離反する方向に付勢する付勢手段と、
光軸方向に上記第２の枠部材に対して直進移動可能であって、上記第２の枠部材に支持されていて、上記付勢手段により付勢された上記第１の枠部材と係合して上記第１の枠部材の光軸方向位置を規制可能な係合部を有し、上記第１の枠部材を光軸方向に一体的となって移動させるため上記第１の枠部材と上記係合部が係合する係合状態と、上記第１の枠部材と光軸方向に別体となって移動するように上記第１の枠部材と光軸方向に上記係合部が離反する離反状態と、になり得るカムフォロワ部材と、
上記カムフォロワ部材を光軸方向に駆動するカム手段と、
上記第１の枠部材を上記第２の枠部材に対し直進移動可能にガイドする第１のガイド軸と、
上記カムフォロワ部材を上記第２の枠部材に対し直進移動可能にガイドする第２のガイド軸と、
を備えることを特徴とするレンズ鏡筒。
【請求項２】
上記第１及び第２の枠部材は、撮影使用時の撮影領域と上記撮影領域よりも光軸方向に後退した収納位置との間を移動可能であって、上記収納位置では上記第１の枠部材と上記カムフォロワ部材とが光軸方向で離反し、上記撮影領域では上記第１の枠部材と上記カムフォロワ部材とが光軸方向で一体的に移動可能に係合することを特徴とする請求項１に記載のレンズ鏡筒。
【発明の詳細な説明】
【０００１】
【発明の属する技術分野】
本発明は、撮影レンズを支持する移動可能な枠部材を内蔵するレンズ鏡筒に関する。
【０００２】
【従来の技術】
従来、撮影レンズを支持する移動可能な枠部材を内蔵するレンズ鏡筒として提案された特開平４−５２６２８号公報に開示のズームレンズ鏡筒は、内側ズーム環および外側ズーム環の光軸周りの回動により、全てのレンズ群を光軸方向に進退させて、焦点距離を変化させ、さらに、外側ズーム環の進退により合焦レンズ群枠を進退させて合焦動作を行わせるものである。
【０００３】
【発明が解決しようとする課題】
しかし、上述の特開平４−５２６２８号公報に開示のズームレンズ鏡筒においては、外側ズーム環により合焦レンズ群を進退駆動するように構成されているが、外側ズーム環と合焦レンズ群枠の間を連結する連結部材が細長い板部材で形成されている。上記連結部材には単純なスラスト力のみが作用するわけではなく、円周方向のねじれ力も同時に作用する。したがって、外側ズーム環や合焦レンズ群枠がこじられて、円滑な進退動作が得られなかったり、上記連結部材が変形するといった不具合が生じることも考えられる。
【０００４】
本発明は、上述の不具合を解決するためになされたものであり、枠部材を進退駆動する場合に、別体のカムフォロア部材を介して駆動することにより、カムフォロア部材が変形することなくスムーズで、精度良く進退移動させることができるとともに、小型化が実現できるレンズ鏡筒を提供することを目的とする。
【０００５】
【課題を解決するための手段】
本発明の請求項１記載のレンズ鏡筒は、第１の枠部材と、上記第１の枠部材を光軸周りの回動を伴わずに光軸方向に直進移動可能に支持する第２の枠部材と、上記第１の枠部材を上記第２の枠部材に対して光軸方向に離反する方向に付勢する付勢手段と、光軸方向に上記第２の枠部材に対して直進移動可能であって、上記第２の枠部材に支持されていて、上記付勢手段により付勢された上記第１の枠部材と係合して上記第１の枠部材の光軸方向位置を規制可能な係合部を有し、上記第１の枠部材を光軸方向に一体的となって移動させるため上記第１の枠部材と上記係合部が係合する係合状態と、上記第１の枠部材と光軸方向に別体となって移動するように上記第１の枠部材と光軸方向に上記係合部が離反する離反状態と、になり得るカムフォロワ部材と、上記カムフォロワ部材を光軸方向に駆動するカム手段と、上記第１の枠部材を上記第２の枠部材に対し直進移動可能にガイドする第１のガイド軸と、上記カムフォロワ部材を上記第２の枠部材に対し直進移動可能にガイドする第２のガイド軸と、を備える。
【０００７】
本発明の請求項２記載のレンズ鏡筒は、本発明の請求項１に記載のレンズ鏡筒において、上記第１及び第２の枠部材が、撮影使用時の撮影領域と上記撮影領域よりも光軸方向に後退した収納位置との間を移動可能であって、上記収納位置では上記第１の枠部材と上記カムフォロワ部材とが光軸方向で離反し、上記撮影領域では上記第１の枠部材と上記カムフォロワ部材とが光軸方向で一体的に移動可能に係合する。
【０００８】
【発明の実施の形態】
以下、本発明の実施の形態を図に基づいて説明する。
図１，２は、本発明の一実施の形態であるレンズ鏡筒５０の分解斜視図、図３は、可動フレア絞り装着部周りの斜視図、図４は、２，３群枠等の分解斜視図である。図５，６は、上記レンズ鏡筒１の各状態での縦断面図であって、図５は、沈胴状態を示し、図６は、上半部が撮影準備状態およびワイド状態を、下半部がテレ状態を示す。図７は、上記可動フレア絞り装着部縦断面図である。なお、図１，２の分解斜視図における各部材は、形状を明らかにするために必ずしも組み立て状態時の回転方向姿勢では示されていない。
【０００９】
本レンズ鏡筒５０は、図１に示す沈胴位置から撮影準備位置間、すなわち、沈胴駆動領域の進退駆動を行う沈胴駆動系５０Ａと、図２に示す各レンズ群枠の繰り出し駆動を行うレンズ群駆動系５０Ｂと、レンズ群枠部５０Ｃとからなる。
【００１０】
上記沈胴駆動系５０Ａは、図１に示すように、主にカメラ本体に固定支持され、ヘリコイド駆動ギヤ７および駆動リング３を有する固定枠１と、沈胴位置と撮影準備位置間を進退し、上記撮影準備位置でワイド位置からテレ位置間を回動する回転枠２と、後述する移動枠５に回動自在に支持されるヘリコイドリング４と、上記回転枠２と共に沈胴位置と撮影可能位置間を直進移動する移動枠５とからなる。
【００１１】
上記沈胴駆動系５０Ａの各構造部材について詳細に説明すると、上記固定枠１は、カメラ本体５１（図５参照）に固着して支持されており、その外周部に貫通する移動枠の突起挿通用溝１ｄが設けられ、内周部にヘイコイド雌ネジ１ａ、および、直進溝１ｂが設けられている。さらに、先端部に設けられている駆動リング支持部１ｃには、駆動リング３が回動駆動可能に装着され、当て板６により、上記駆動リング３のスラスト位置が規制される。また、外周部に軸方向に沿う長尺ギヤ形状のヘリコイドリング駆動ギヤ７が回転可能に支持され、その歯部は、固定枠内周部に露出している。
なお、上記直進溝１ｂ、および、後述する各直進溝は、撮影光学系の光軸Ｏに平行に設けられる溝とする。
【００１２】
上記駆動リング３には、外周部に図示しないズーム駆動系に噛合して駆動されるズームギヤ３ａおよび図示しないファインダ駆動系に噛合して駆動されるファインダギヤ３ｂとが設けられ、内周部に切り欠き状の凹部３ｃが設けられている。
【００１３】
上記回転枠２には、内周部に直進溝２ａと、内周前方（被写体側）端部に内周溝２ｂが設けられ、外周部に突起２ｃが設けられている。また、上記ヘリコイドリング４には、その外周部にヘリコイド雄ネジ４ａと駆動ギヤ４ｂとが設けられている。
【００１４】
上記移動枠５には、その外周部にストロボ駆動用突起５ａと、直進ガイド用突起５ｂ，５ｃと、突起５ｄと突起５ｃおよび５ｂを繋ぐリング状のリブとの間の円周面で形成される周方向ガイド５ｅと、先端に突起５ｆとが設けられ、内周部に３組の複列の直進溝５ｇが設けられている。さらに、内外周を貫通し、光軸Ｏに対する斜行溝部を有する３つのカム溝５ｈが設けられている。
【００１５】
上述の各部材で構成される沈胴駆動系５０Ａにおいて、上記移動枠５にはその周方向ガイド５ｅに上記ヘリコイドリング４が嵌入し、軸方向位置が規制された状態で回動自在に保持され、さらに、内周部には後述するレンズ群駆動系５０Ｂおよび各レンズ群枠部５０Ｃが回動，進退自在に組み込まれる。その移動枠５は、回転枠２の内周部に嵌入されるが、その嵌入状態で突起５ｆが内周溝２ｂと係合するので、回転枠２に対して軸方向位置が規制された状態で回動自在に支持されることになる。
【００１６】
上記回転枠２および移動枠５は、それぞれ突起２ｃ，５ｃ，５ｂを直進溝１ｂおよび１ｄに嵌入させた状態で固定枠１に直進可能状態で挿入される。そのとき、ヘリコイドリング４のヘリコイド雄ネジ４ａを固定枠１のヘリコイド雌ネジ１ａに、また、駆動ギヤ４ｂをヘリコイドリング駆動ギヤ７にそれぞれ噛合させる。
【００１７】
上記回転枠２および移動枠５の固定枠１への組み付け状態において、移動枠５と回転枠２がフィルム面側の沈胴位置にあるときに（図５参照）、ヘリコイドリング駆動ギヤ７を時計回り（被写体側から見て）Ｂ1 方向に回転させると、ヘリコイドリング４が反時計回りＣ1 方向に回動する。その回動によって移動枠５と回転枠２がＤ1 方向（被写体側方向）に一体的に撮影準備位置まで繰り出される（図６の上半部分参照）。
【００１８】
上記撮影準備位置に到達した状態では、回転枠２は、その突起２ｃが固定枠１の直進溝１ｂから外れ、駆動リングの凹部３ｃ側に嵌合する。この状態でズーム駆動系により駆動リング３をＥ0 方向に回動駆動させると、回転枠２が回動し、撮影準備位置から同方向に僅か回動してワイド位置へ到達し、さらに、同方向に回動するとテレ位置へズーム駆動される。なお、駆動リング３を上述とは逆方向のＥ1 方向に回転駆動することによって、回転枠２がズーム位置から撮影準備位置へ回動し、さらに、ヘリコイドリング駆動ギヤ７を上述とは逆方向のＢ0 方向に回転駆動することによって、回転枠２および移動枠５を沈胴位置に繰り込むことができる。
【００１９】
次に、上記レンズ群駆動系５０Ｂについて説明する。
レンズ群駆動系５０Ｂは、図２，３，４，７に示すように、主に可動フレア絞り１５を支持する枠部材であり、移動枠５内に嵌入して進退駆動され、回転枠２と共に回転するカム枠Ｍ１１と、カム枠Ｍ１１と共に回転し、２群枠２２を介して進退駆動されるカム手段としてのカム枠Ｆ１２と、キー押さえ１４が固着され、レンズ群枠を直進ガイドするキーリング１３と、カム枠Ｍ１１に支持され、直進移動する絞り部材である可動フレア絞り１５とからなる。
【００２０】
上記レンズ群駆動系５０Ｂを構成する各部材について詳細に説明する。
上記カム枠Ｍ１１は、上記移動枠５の内周に回動かつ進退可能に嵌入する部材であり、外周部には、可動フレア絞りの先端凸部１５ｃが摺動する第２の摺動面としての外周面１１ａと、圧入して固着される軸部を持つ３つのカムフォロワ１７と、上記カムフォロワ１７の軸部に回転自在に嵌入する３つのカムフォロワ１８と、段差面としての段差側面１１ｂと、段差周面１１ｃと、所定幅の端部外周面１１ａ′と、段差周面１１ｃの周方向に隣接する周方向傾斜面１１ｄとが設けられている。また、内周部には、フィルム面側端部に設けられる内周溝１１ｅと、３つの直進溝１１ｆと、光軸Ｏに対し傾斜する斜行溝部を有する３つの２群カム溝１１ｇとが設けられている。
【００２１】
なお、上記段差周面１１ｃは、フィルム面側端部に上記外周面１１ａより一段低く形成される面であって、可動フレア絞り１５の腕部の先端凸部１５ｃが摺接する第１の摺動面である。なお、上記段差周面１１ｃの軸方向の幅は、先端凸部１５ｃが周方向に摺動できるように先端凸部１５ｃの軸方向の幅よりも僅かに大きいものとする。
【００２２】
また、上記端部外周面１１ａ′は、上記段差周面１１ｃの周方向に設けられる上記外周面１１ａと同一径の面であって、可動フレア絞り１５の先端凸部１５ｃが摺接する所定幅の第２の摺接面である。
【００２３】
上記周方向傾斜面１１ｄは、段差周面１１ｃと端部外周面１１ａ′とを連続して繋ぐ周方向の傾斜面である（図３参照）。
段差側面１１ｂは、上記外周面１１ａと段差周面１１ｃとの間の軸垂直の側面である（図３参照）。
【００２４】
上記カム枠Ｆ１２は、上記カム枠Ｍ１１の内周に進退可能に嵌合する部材であって、外周部には３つの突起１２ａが設けられ、内周部には光軸Ｏに対し傾斜する斜行溝部を有する各３つの１群カム溝１２ｂ，２群カム溝１２ｃと、１つの３群カム溝１２ｄとが設けられている。
【００２５】
上記可動フレア絞り１５は、極薄板の部材であって、中央部に設けられるフレア絞り開口部となる開口１５ａと、装着前の自由状態で光軸Ｏに平行な方向から多少内側に向けて延出する弾性変形可能な部分であって、その先端部に周方向に突状の先端凸部１５ｃを有する３つの腕部１５ｂとが設けられている。組み付け状態において、上記先端凸部１５ｃは、上記腕部１５ｂが弾性変形してカム枠Ｍ１１の外周部１１ａ、または、段差周面１１ｃに所定付勢力で当接するものとする。
【００２６】
上記キーリング１３は、各レンズ群枠を直進ガイドするための薄板状部材であって、ビス孔１３ａと、位置決め孔１３ｂと、外周に設けられる３つの複列突起１３ｄと、複列突起１３ｄの間の溝１３ｅと、２つの切り欠き１３ｃと、光軸方向に延出する直進キー１３ｆとが設けられている。
【００２７】
なお、上記溝１３ｅの幅は、上記可動フレア絞りの腕部１５ｂが挿通可能であって、先端凸部１５ｃの周方向幅よりも狭い寸法とする。また、上記溝１３ｅの底面の径は、カム枠Ｍ１１の段差周面１１ｃの径と同等、または、小さいものとする（図３，７参照）。
【００２８】
上記キー押さえ１４は、円環の一部がカットされた弾性変形可能な部材であり、外周に沿って設けられる鍔１４ａと、２つのビス用ネジ孔１４ｂと、上記各ネジ孔の側方に設けられ、位置決め孔１３ｂに嵌入可能な位置決めピン１４ｃと、爪状係止部１４ｅを持つ２つの押さえピン１４ｄとが設けられている。
【００２９】
上述の各部材で構成されるレンズ群駆動系５０Ｂにおいて、まず、カム枠Ｍ１１には、その内周の直進溝１１ｆに突起１２ａを嵌合させた状態でカム枠Ｆ１２が進退摺動自在に嵌入され、さらに、カム枠Ｍ１１およびカム枠Ｆ１２内周部には、後述する各レンズ群枠が進退自在に組み込まれる。
【００３０】
レンズ群枠等が組み込まれたカム枠Ｍ１１は、沈胴駆動系５０Ａの移動枠５の内周部に回動自在に嵌入され、カム枠Ｍ１１のカムフォロワ１８がカム溝５ｈに摺動自在に嵌入する。さらに、カムフォロワ１８の軸部となるカムフォロワ１７は、移動枠５を挿通して、回転枠２の直進溝２ａに摺動自在に嵌入する。そして、カムフォロワ１７は、さらに、回転枠２の直進溝２ａに摺動可能となった状態で嵌合している。したがって、回転枠２の回動に伴いカム枠Ｍ１１が共に回動しながら、移動枠５のカム溝５ｈによって光軸方向へ進退駆動される。
【００３１】
キー押さえ１４は、径方向に広げた状態で鍔１４ａをカム枠Ｍ１１の内周溝１１ｅに嵌入される。そのキー押さえ１４にキーリング１３が位置決めピン１４ｃと位置決め孔１３ｂで位置決めされた状態で取り付けられ、ビス１６により固着状態とする。したがって、キーリング１３は、カム枠Ｍ１１に対してフィルム側端部に軸方向位置が規制された状態で回動自在に支持される。
【００３２】
なお、上述のキーリング取り付け状態では、図７に示すようにキー押さえ１４の押さえピン１４ｄがキーリング１３の切り欠き１３ｃに嵌入し、押さえピン１４ｄの係止部１４ｅが係合しており、キー押さえ１４とキーリング１３とは隙間なく保持される。
【００３３】
上記キーリング１３は、その複列の突起１３ｄが直進進退する移動枠５の複列の直進溝５ｇに摺動自在に嵌入されるので、回動することなく直進駆動される。さらに、キーリング１３の直進キー１３ｆが後述する２群レンズ枠２２の直進ガイド孔２２ｃに摺動自在に嵌入されるので、上記２群枠２２、および、２群枠に支持される１群枠２１，３群枠２３が直進ガイドされる。
【００３４】
可動フレア絞り１５は、その腕部１５ｂが上記キーリングの凹部１３ｅをフィルム面側から挿通し、先端凸部１５ｃが上記カム枠Ｍ１１の外周面１１ａ、または、段差周面１１ｃに摺接可能な状態で取り付けられる。
【００３５】
次に、上記レンズ群枠部５０Ｃについて説明する。
レンズ群枠部５０Ｃは、カム枠Ｍ１１，カム枠Ｆ１２に内蔵され、直進移動する各レンズ群保持枠で構成され、上記カム枠Ｆ１２を介して進退駆動され、１群レンズ４１を保持する１群枠２１と、上記キーリング１３を介して直進ガイドされ、上記カム枠Ｍ１１によって進退駆動される第２の枠部材としての２群枠２２と、カム枠Ｆ１２を介して進退駆動されるカムフォロワ部材としての可動フォロワ２８と、可動フォロワ２８を介して進退駆動され、３群レンズ４３を保持する第１の枠部材としての３群枠２３と、２群枠２２に保持されてフォーカシング駆動系（図示せず）により直進駆動され、２群レンズ４２を保持するフォーカシング枠２９（図５，６参照）とからなる。
【００３６】
上記２群枠２２には、外周部に各３つのカムフォロワ３２，３３と、その先端部に３つの突起２２ｂが設けられている。内周部には、キーリングの直進キー１３ｆが嵌入する直進ガイド孔２２ｃと、光軸Ｏ方向に沿う軸孔２２ｄ，切り欠き２２ｅと、光軸Ｏ方向に沿って固着支持されたガイド軸２７と、シャッタ４４が装着される開口２２ａが設けられている（図４参照）。
【００３７】
上記１群枠２１は、開口部２１ａに１群レンズ４１を保持しており、外周部に３つのカムフォロワ３１と、内周部に直進溝２１ｂが設けられている。
【００３８】
上記可動フォロワ２８は、３群枠２３の進退位置を規制する部材であり、２群枠２２のガイド軸２７が摺動自在に嵌入する軸孔２８ａと、カムフォロワ２８ｂと、３群枠２３と係合して該枠２３の光軸方向位置を規制する係合部である係止爪２８ｃとが設けられている。
【００３９】
上記３群枠２３は、２群枠２２により直進方向に摺動自在に支持される部材であって、固着支持されるガイド軸２４，２５と、可動フォロワの係止爪２８ｃとの被係止部２３ｂが設けられ、開口部に３群レンズ４３が保持されている。
【００４０】
フォーカシング枠２９は、２群レンズ４２を保持し、上記２群枠２２に進退可能に支持され、図示しないフォーカシング駆動系によって進退駆動される（図５，６参照）。
【００４１】
以上のような部材からなるレンズ群枠部５０Ｃにおいては、２群枠２２には、被写体側外周の突起２２ｂを１群枠の直進溝２１ｂに摺動自在に嵌入させて１群枠２１が装着される。また、軸孔２２ｄ，切り欠き２２ｅに３群枠のガイド軸２４，２５を摺動自在に嵌入させて３群枠２３が装着される。なお、ガイド軸２４には付勢手段としての圧縮バネ２６が挿入されており、常時、３群枠２３は、フィルム面方向への付勢力を受けている。
【００４２】
さらに、２群枠２２には、そのガイド軸２７に軸孔２８ａを摺動自在に嵌入させて可動フォロワ２８が装着される。上記３群枠２３がカメラ本体５１の当接力を受けない状態では、可動フォロワ２８の係止爪２８ｃが３群枠２３の被係止部２３ｂに係合することによって、３群枠２３の位置決めがなされる。
【００４３】
上述のレンズ群枠部５０Ｃは、前述したレンズ群駆動系５０Ｂのカム枠Ｍ１１およびカム枠Ｆ１２に直進進退可能状態で組み込まれる。また、直進ガイドされるキーリング１３の直進キー１３ｆが２群枠２２の直進ガイド孔２２ｃに摺動自在に嵌入しているので、２群枠２２と共に、１，３群枠２１，２３および可動フォロワ２８も直進進退可能に支持される。
【００４４】
そして、１群枠のカムフォロワ３１は、カム枠Ｆの１群カム溝１２ｂに嵌入し、２群枠のカムフォロワ３２および３３は、カム枠Ｍの２群カム溝１１ｇとカム枠Ｆの２群カム溝１２ｃにそれぞれ嵌入する。さらに、可動フォロワのカムフォロワ２８ｂは、カム枠Ｆの３群カム溝１２ｄに嵌入する。
【００４５】
したがって、カム枠Ｍ１１に対する各枠部材等の進退位置としては、２群枠２２は、カム枠Ｍ１１の２群カム溝１１ｇで位置決めされ、カム枠Ｆ１２は、２群枠２２とカム枠Ｆ１２の２群カム溝１２ｃによって位置決めされる。さらに、可動フォロワ２８がカム枠Ｆの３群カム溝１２ｄによって位置決めされ、３群枠２３は、上記可動フォロワ２８の係止爪２８ｃを介して位置決めされる。
【００４６】
次に、以上のように構成されたレンズ鏡筒５０の沈胴，繰り出し動作について説明する。
レンズ鏡筒５０が沈胴状態にあるときは、図５に示すように回転枠２等すべての部材は、固定枠１内部に沈胴した状態に保持されている。このとき、３群枠２３と可動フレア絞り１５は、カメラ本体５１のアパーチャ５１ａ近傍に設けられた突起５１ｂにより圧縮バネ２６の付勢力により押圧駆動され、２群枠２２とカム枠Ｍ１１に対して相対的に接近した収納（沈胴）位置にある。
【００４７】
上述の沈胴状態では、３群枠２３が２群枠２２に相対的に接近しているときは、可動カムフォロワ２８は、カム枠Ｆ１２で規制されて保持されているので可動カムフォロワの係止爪２８ｃと３群枠の被係止部２３ｂは係止が外れ、離反した状態にある。
また、可動フレア絞り１５の先端凸部１５ｃは、図７に示すようにカム枠Ｍ１１の外周面１１ａ上を摺接しており、前方に移動している。
【００４８】
レンズ鏡筒５０を沈胴状態から撮影準備状態に駆動するには、ヘリコイドリング駆動ギヤ７をＢ1 方向に回転させ、ヘリコイドリング４をＣ1 方向に回動させる。その回動により回転枠２と移動枠５が直進溝１ｂにガイドされながら一体的にＤ1 方向に移動し、沈胴位置から撮影準備位置まで繰り出される（図６上半部分参照）。この状態では、移動枠５は、直進溝１ｄ，１ｂに係合した状態のままであるが、回転枠２は、その突起２ｃが直進溝１ｂから解放され、駆動リング３の凹部３ｃに係合し、駆動リング３によって回動可能な状態となる。
【００４９】
上記撮影準備状態からさらにズーム駆動系によって駆動リング３をＥ0 方向に僅かな角度だけ回動させると、レンズ鏡筒５０は図６の上半部分に示すワイド状態となる。
【００５０】
また、沈胴状態から撮影準備状態およびワイド状態への駆動過程で１群枠２１，２群枠２２は、回転枠２，移動枠５と共に繰り出される。３群枠２３は、圧縮バネ２６の付勢力でカム枠Ｍ１１および２群枠２２から相対的に後方へ離間し、可動フォロワ２８の係止爪２８ｃが３群枠２３の被係止部２３ｂと係合する位置であるワイド対応位置に相対的に後退する。
【００５１】
また、上記駆動過程で可動フレア絞り１５は、カム枠Ｍ１１に対して後退する３群枠２３に押圧され、同様に相対的に後退する。そのとき、腕部１５ｂの先端凸部１５ｃは、図３に示すカム枠Ｍ１１の端部外周面１１ａ′上に到達し、さらに、カム枠Ｍ１１が僅かワイド位置までＥ0 方向に回動すると、連続傾斜面１１ｄを摺動降下して段差周面１１ｃ上に達する。この状態での可動フレア絞り１５は、カム枠Ｍ１１に対して所定の相対位置にあり、正常なフレア絞りとして機能する。
【００５２】
レンズ鏡筒５０のワイド状態からテレ状態への駆動は、駆動リング３をＥ0 方向に回動駆動し、回転枠２を同方向に回動させることによって行われる（図６の下半部参照）。すなわち、回転枠２のＥ0 方向への回動に伴って、カム枠Ｍ１１が回動し、移動枠５のカム溝５ｈに沿って繰り出される。また、カム枠Ｆ１２も直進溝１１ｆによりカム枠Ｍ１１と共に回動し、その繰り出し位置は、カム溝１２ｃの嵌入する２群枠２２のカムフォロワ３３を介して位置決めされる。
【００５３】
そして、２群枠２２は、キーリング１３により直進ガイドされた状態でカムフォロワ３２が嵌入するカム枠Ｍ１１の２群カム溝１１ｇによりテレ対応位置に繰り出される。また、１群枠２１は、カムフォロワ３１が嵌入するカム枠Ｆ１２の１群カム溝１２ｂにより同様にテレ対応位置に繰り出される。さらに、３群枠２３は、可動フォロワ２８がカム枠Ｆ１２の３群カム溝１２ｄにより位置決めされ、その可動フォロワ２８の係止爪２８ｂが３群枠の被係止部２３ｂと係合した状態のまま、同様にテレ対応位置に移動する。
【００５４】
また、ワイド状態からテレ状態をカム枠Ｍ１１が回動，進退駆動する間、可動フレア絞り１５は、キーリング１３の溝１３ｅによって回動することなく保持され、その先端凸部１５ｃが段差側面１１ｂとキーリング１３の溝１３ｅの側面とで挟まれた状態で段差周面１１ｃ上を摺接する。したがって、可動フレア絞り１５は、カム枠Ｍ１１に対して所定の離間位置に確実に保持され、正常なフレア絞りとして機能する。
【００５５】
次に、レンズ鏡筒５０をワイド状態から撮影準備状態さらに沈胴状態に駆動する場合は、駆動リング３を、一旦、Ｅ1 方向に回動させて撮影準備状態とする。その状態で１群枠２１，２群枠２２は、移動枠５内に繰り込まれている。３群枠２３は、カム枠Ｍ１１に対して相対的にまだ後退した位置にある（図６の上半部分参照）。また、可動フレア絞り１５の腕部の先端凸部１５ｃは、カム枠Ｍ１１がＥ1 方向に回動するので、段差周面１１ｃ上から連続傾斜面１１ｄを摺動して端部外周面１１ａ′上に位置する（図３参照）。
【００５６】
その後、ヘリコイドリング駆動ギヤ７をＢ0 方向に回転駆動して、ヘリコイドリング４をＣ0 方向に回動させると、移動枠５と共に回転枠２がＤ0 方向に後退し、回転枠２の突起２ｃの駆動リング３に対する係合が解放される。さらに、ヘリコイドリング４の回転を続行すると、回転枠２が移動枠５とともにＤ0 方向に移動し、固定枠１内に収納される沈胴位置まで繰り込まれる（図５参照）。
【００５７】
上記の沈胴動作で３群枠２３と可動フレア絞り１５は、カメラ本体５１の突起５１ｂに押圧されて圧縮バネ２６の付勢力に抗して相対的に前進する。そして、３群枠２３は、前述したように可動カムフォロワ２８の係止状態が解放され、２群枠２２の内部の収納（沈胴）位置に移動する（図５参照）。一方、可動フレア絞り１５もカム枠Ｍ１１に対して相対的に光軸方向に前進し、腕部の先端凸部１５ｃがカム枠Ｍ１１の端部外周面１１ａ′から外周面１１ａ上を前方に摺動し、沈胴状態となる（図５参照）。
【００５８】
なお、本実施の形態では、可動カムフォロワ２８を摺動可能に支持するガイド軸２７を２群枠２２に設けているが、３群枠に設けるように構成してもよい。
【００５９】
以上、説明した上記レンズ鏡筒５０によれば、撮影準備，撮影状態にあるとき、２群枠２２に対してガイド軸２４，２５で支持される３群枠２３は、圧縮バネ２６の付勢力を受けて、ガイド軸２７に摺動自在に支持される別体の部材であって、カム駆動される可動カムフォロワ２８と係合することにより各撮影位置に位置決めされる。そして、収納（沈胴）状態にする場合、カメラ本体の突起５１ｂで３群枠２３を前方に押し付けて強制的に上記圧縮バネ２６を圧縮させて上記係合状態を解放して３群枠２３を２群枠２２に近接させるようにして収納（沈胴）位置に駆動する。したがって、従来のレンズ鏡筒における連結部材のように変形してスムーズな駆動が行えないといった現象が生じることがなく、つまり、このように連結部材を不必要に頑丈にしたり、強くしたりすることなく、３群枠２３を精度よく沈胴位置，撮影位置に移動せしめることが可能になる。また、レンズ鏡筒の小型化にも効果がある。
【００６０】
（付記）
上述の実施の形態に基づいて、次の構成を得ることができる。すなわち、
（１）  光軸方向に移動可能な枠部材と、
上記枠部材と別体であって、上記枠部材に対して離反および係合可能に設けられ、上記枠部材を光軸方向に移動するカムフォロワ部材と、
を備えていることを特徴とするレンズ鏡筒。
【００６１】
（２）  付記１において、
上記カムフォロワ部材は、上記枠部材に対して、光軸方向に離反および係合可能に設けられていることを特徴とするレンズ鏡筒。
【００６２】
（３）  第１の枠部材と、
上記第１の枠部材を光軸周りの回動を伴わず光軸方向に直進移動可能に支持する第２の枠部材と、
上記第１の枠部材を上記第２の枠部材に対して光軸方向に離反する方向に付勢する付勢手段と、
上記付勢手段により付勢された上記第１の枠部材と係合して、上記第１の枠部材を光軸方向に移動させるカムフォロワ部材と、
上記カムフォロワ部材を光軸方向に駆動するカム手段と、
を備えていることを特徴とするレンズ鏡筒。
【００６３】
（４）  第１の枠部材と、
上記第１の枠部材を光軸方向に直進移動可能に支持する第２の枠部材と、
上記第１の枠部材を上記第２の枠部材に対して光軸方向に離反する方向に付勢する付勢手段と、
光軸方向に沿って直進移動自在に上記第２の枠部材に支持され、上記付勢手段により付勢された上記第１の枠部材と係合して上記第１の枠部材を光軸方向に移動させるカムフォロワ部材と、
上記カムフォロワ部材を光軸方向に駆動するためのカム手段と、
を備えていることを特徴とするレンズ鏡筒。
【００６４】
（５）  付記４において、
上記カムフォロワ部材は、上記第１の枠部材と係合して上記第１の枠部材の光軸方向位置を規制する係合部を有し、さらに上記カムのカム部に接するカムフォロワを備えていることを特徴とするレンズ鏡筒。
【００６５】
（６）  付記５において、
上記カムフォロワ部材は、上記第１の枠部材を光軸方向に一体的となって移動させるため上記第１の枠部材と上記係合部が係合する係合状態と、上記第１の枠部材と光軸方向に別体となって移動するように上記第１の枠部材と光軸方向に上記係合部が離反する離反状態とになり得ることを特徴とするレンズ鏡筒。
【００６６】
（７）  付記５において、
上記カムフォロワ部材は、光軸方向に延出した長形状を有し、光軸方向の一端側近傍には上記係合部が、光軸方向の他端側には上記カムフォロワが配設されていることを特徴とするレンズ鏡筒。
【００６７】
（８）  付記７において、
上記カムフォロワ部材は、上記第１の枠部材および上記第２の枠部材の円周方向の一部空間に配置されていることを特徴とするレンズ鏡筒。
【００６８】
（９）  付記５において、
上記カムフォロワ部材は、光軸方向へ摺動移動自在となるように上記第２の枠部材に設けた軸に嵌合していることを特徴とするレンズ鏡筒。
【００６９】
【発明の効果】
本発明によれば、枠部材を進退駆動する場合に、別体のカムフォロア部材を介して駆動するため、カムフォロア部材が変形することなくスムーズで、精度良く進退移動させることが可能であり、また、レンズ鏡筒の小型化が実現できる。
【図面の簡単な説明】
【図１】本発明の一実施の形態であるレンズ鏡筒を構成する沈胴駆動系の分解斜視図。
【図２】上記一実施の形態であるレンズ鏡筒を構成するレンズ群駆動系およびレンズ群枠部の分解斜視図。
【図３】図１，２のレンズ鏡筒の可動フレア絞り装着部周りの斜視図。
【図４】図１，２のレンズ鏡筒の２，３群枠等の分解斜視図。
【図５】図１，２のレンズ鏡筒の縦断面図であり、沈胴状態を示す。
【図６】図１，２のレンズ鏡筒の縦断面図であり、上半部が撮影準備状態およびワイド状態を、下半部がテレ状態を示す。
【図７】図１，２のレンズ鏡筒の可動フレア絞り装着部周りの縦断面図。
【符号の説明】
２２  ……２群枠（第２の枠部材）
２３  ……３群枠（枠部材，第１の枠部材）
２６  ……圧縮バネ（付勢手段）
２８  ……可動カムフォロワ（カムフォロワ部材）
２８ｃ……係止爪（係合部）
５０    ……レンズ鏡筒
Ｏ    ……光軸
【図１】
0004166338.tif 000002
【図２】
0004166338.tif 000003
【図３】
0004166338.tif 000004
【図４】
0004166338.tif 000005
【図５】
0004166338.tif 000006
【図６】
0004166338.tif 000007
【図７】
0004166338.tif 000008